(57)【要約】【課題】  この考案は構造が簡単で壊れ難く、誰でも容易に使用可能で、且つ、安全で確実にワンタッチで薄膜の除去ができるケーブル配線用薄膜除去具を開発・提供する事にある。【解決手段】  対のハンドルと対のハンドルで稼動される対の顎部から成り、該顎部は、中心部に配線ケーブルの外径寸法に適合し、所定幅と所定長さを有する刃先凹部と刃先凸部を対に噛合可能にして設け、且つ、複数のケーブルサイズに対応可能にして設け、且つ、使用時は除去具の刃先凸部をキャビネットの任意のケーブル配線導入用溝部に垂直方向に挿設し、刃先凹部をケーブル配線用薄膜の外面に当設し噛合打ち抜きする事で、容易に除去可能にしたものである。【選択図】  図３
0003128544.tif 000002
【実用新案登録請求の範囲】
【請求項１】
構内小型光キャビネットのケーブル配線用薄膜の除去具において、該除去具は、対のハンドル（１）（１’）と対のハンドル（１）（１’）で稼動される対の顎部（２）から成り、該顎部（２）は、中心部に配線ケーブル（ＣＡ）の外径寸法に適合し、所定幅（Ｗ）と所定長さ（Ｈ）を有する刃先凹部（２ａ）と刃先凸部（２ｂ）を対に噛合可能にして設け、且つ、複数のケーブル（ＣＡ）サイズに対応可能にして設け、且つ、使用時は除去具の刃先凸部（２ｂ）をキャビネット（ＣＢ）の任意のケーブル配線導入用把持溝部（ＣＢ１）に垂直方向に挿設し、刃先凹部（２ａ）をケーブル配線用薄膜（ＣＢ２）の外面に当設し噛合打ち抜きする事で、薄膜部の除去を容易に可能にした事を特徴とするケーブル配線用薄膜除去具。
【考案の詳細な説明】
【技術分野】
【０００１】
この考案は、構内小型光キャビネットのケーブル配線用薄膜の除去具に関するものである。
【背景技術】
【０００２】
従来、構内小型光キャビネットは、光ケーブル等を配線する為の導入部にプラスチック状の薄膜が設けられている。この薄膜を除去する際、現状では専用工具が無い為、カッター等を使用して薄膜を切り取り、バリ取りを施しているが、作業性や環境が悪く除去する為に時間が掛かっている。
【０００３】
又、構内小型光キャビネットへ光ケーブルの導入方法は、左側から順番に導入する為、光ケーブルを新たに増設する場合、隣接した光ケーブル導入部に現用光ケーブルが引き込まれている為、場合によっては、その現用光ケーブルを損傷させる危険がある等、多くの問題があった。
【０００４】
そこで、この考案に関する特許文献を参考の為、紹介する。（特許文献１。）
【特許文献１】特開２００５−２６６０３０
【考案の開示】
【考案が解決しようとする課題】
【０００５】
そこで、上記課題を解決する為に、この考案は構造が簡単で壊れ難く、誰でも容易に使用可能で、且つ、安全で確実にワンタッチで薄膜の除去ができるケーブル配線用薄膜除去具を開発・提供する事にある。
【課題を解決するための手段】
【０００６】
この課題を解決する為の手段として、対のハンドルと対のハンドルで稼動される対の顎部から成り、該顎部は、中心部に配線ケーブルの外径寸法に適合し、所定幅と所定長さを有する刃先凹部と刃先凸部を対に噛合可能にして設け、且つ、複数のケーブルサイズに対応可能にして設け、且つ、使用時は除去具の刃先凸部をキャビネットの任意のケーブル配線導入用把持溝部に垂直方向に挿設し、刃先凹部をケーブル配線用薄膜の外面に当設し噛合打ち抜きする事で、薄膜部の除去を容易に可能にしたものである。
【考案の効果】
【０００７】
この考案の効果として、対のハンドルと対のハンドルで稼動される対の顎部から成り、該顎部は、中心部に配線ケーブルの外径寸法に適合し、所定幅と所定長さを有する刃先凹部と刃先凸部を対に噛合可能にして設け、且つ、複数のケーブルサイズに対応可能にして設け、且つ、使用時は除去具の刃先凸部をキャビネットの任意のケーブル配線導入用把持溝部に垂直方向に挿設し、刃先凹部をケーブル配線用薄膜の外面に当設し噛合打ち抜きする事で、薄膜を容易に、又、安全にワンタッチで除去可能にし、しかもコンパクト構造なので、手の入らない狭い空間でも簡単に作業が出来、且つ、市販品のペンチを改造し流用する事で非常に安価である等、極めて有益なる効果を奏するものである。
【考案を実施するための最良の形態】
【０００８】
この考案の最良の形態として、ケーブル配線用薄膜除去具の刃先凸部の幅寸法が、キャビネットのケーブル配線導入用把持溝部の幅寸法に適合し、且つ、作業性・安全性・経済性を良くする為、片手で容易に操作可能な大きさで、しかも丈夫で安価なペンチを選定する事が重要である。
【実施例１】
【０００９】
そこで、この考案の一実施例を図１に基づいて詳述すると、構内小型光キャビネットのケーブル配線用薄膜の除去具において、該除去具は、対のハンドル（１）（１’）と対のハンドル（１）（１’）で稼動される対の顎部（２）から成り、該顎部（２）は、中心部に配線ケーブル（ＣＡ）の外径寸法に適合し、所定幅（Ｗ）と所定長さ（Ｈ）を有する刃先凹部（２ａ）と刃先凸部（２ｂ）を対に噛合可能にして設け、且つ、複数のケーブル（ＣＡ）サイズに対応可能にして設け、且つ、使用時は除去具の刃先凸部（２ｂ）をキャビネット（ＣＢ）の任意のケーブル配線導入用把持溝部（ＣＢ１）に垂直方向に挿設し、刃先凹部（２ａ）をケーブル配線用薄膜（ＣＢ２）の外面に当設し噛合打ち抜きする事で、薄膜部の除去を容易に可能にした事を特徴とするケーブル配線用薄膜除去具から構成される。
【００１０】
次に、この考案の寸法形状の詳細について説明すると、図１（Ａ）（Ｂ）（Ｃ）に示す様に、ペンチは全長が８２ｍｍ×全幅６７ｍｍ（グリップ部）×厚さ１０ｍｍ（グリップ部）の市販のペンチを改造して形成したもので、ペンチの顎部（２）の片側に、所定幅（３ｍｍ）と所定長さ（２２ｍｍ）の矩形状の刃先凹部（２ａ）を有する鉄板を溶着し、且つ、対の顎部（２）全体を熱処理・研磨して刃先の切り味を向上させたものである。
【００１１】
次に、この考案の構造について説明すると、鋏やペンチの原理と同様で、対のハンドル（１）（１’）のグリップ部を握り締める事で、対の顎部（２）が軸部（３）を中心にして開閉作動し、刃先凹部（２ａ）と刃先凸部（２ｂ）が噛合する様に形成されている。又、対のハンドル（１）（１’）部は、握り締めた手を緩めると、対のハンドル（１）（１’）間に設けた捻りコイルばね（ＳＰ）によって、顎部（２）の刃先が元の開状態に復元する様形成されており、作業性が良く、片手で操作が可能である。
【００１２】
又、図２（Ａ）はキャビネット（ＣＢ）の斜視図を示し、図２（Ｂ）は図１（Ａ）のａ部拡大詳細図で、ケーブル配線導入用把持溝部（ＣＢ１）の仕上げ形状、及び、ケーブル導入要領を示した一例で、ケーブルの取り出し方向は左側・右側・中央下部の三箇所の何れからも取り出し可能で、薄膜部（ＣＢ２）の除去は、工事内容等、必要に応じて任意の場所を除去可能である。
【００１３】
次に、この考案の使用方法について説明すると、図３（Ａ）（Ｂ）に示す様に、キャビネット（ＣＢ）のケーブル配線導入用把持溝部（ＣＢ１）に、ケーブル配線用薄膜除去具の刃先凸部（２ｂ）を垂直方向に挿設し、刃先凹部（２ａ）を、ケーブル配線用薄膜（ＣＢ２）の外面に当設し、対のハンドル（１）（１’）部を握り締めて、刃先顎部（２）を噛合打ち抜きし、薄膜部（ＣＢ２）を除去する。
【００１４】
又、図２（Ｂ）に示す様に、ケーブル配線導入用把持溝部（ＣＢ１）の構造は、上部が広く、下部が狭く成っていて、上部側には８心インドアケーブル・８心ドロップケーブル・ターミネーションケーブル等が適用し、又、下部側には単心インドアケーブル・４心インドアケーブル・単心ドロップケーブル・２心ドロップケーブル・４心ドロップケーブル等が適用する。従って使用するケーブルの種類に応じて薄膜部（ＣＢ２）の除去幅と除去高さを適宜変更する必要がある。
【産業上の利用可能性】
【００１５】
この考案のケーブル配線用薄膜除去具は、誰でも容易に使用可能で、且つ、安全で確実にワンタッチで薄膜の除去ができる事で、多くの電気工事関係市場に寄与する点で産業上の利用可能性を有する。
【図面の簡単な説明】
【００１６】
【図１】この考案の一実施例を示し、（Ａ）はケーブル配線用薄膜除去具の平面図で、（Ｂ）はケーブル配線用薄膜除去具の顎部開時の正面図で、（Ｃ）は顎部閉時の正面図である。
【図２】この考案の使用例を示し、（Ａ）は構内小型光キャビネット全体の斜視図を示し、（Ｂ）は図１（Ａ）のａ部拡大詳細図である。
【図３】この考案の使用例を示し、（Ａ）はケーブル配線用薄膜除去具の使用方法を示す斜視図で、（Ｂ）は薄膜除去部に薄膜除去具の刃先を当設した時の断面図である。
【符号の説明】
【００１７】
１  ハンドル
１’  ハンドル
２  顎部
２ａ  刃先凹部
２ｂ  刃先凸部
３  軸部
ＣＡ  ケーブル
ＣＢ  キャビネット
ＣＢ１  ケーブル配線導入用把持溝部
ＣＢ２  ケーブル配線用薄膜
Ｈ  刃先切り欠き穴部の所定長さ
Ｈ’  ケーブル配線導入用溝部の深さ寸法
ＳＰ  捻りコイルばね
Ｗ  刃先切り欠き穴部の所定幅
Ｗ’  ケーブル配線導入用溝部の幅寸法
【図１】
0003128544.tif 000003
【図２】
0003128544.tif 000004
【図３】
0003128544.tif 000005
【手続補正書】
【提出日】平成18年11月1日(2006.11.1)
【手続補正１】
【補正対象書類名】実用新案登録請求の範囲
【補正対象項目名】請求項１
【補正方法】変更
【補正の内容】
【請求項１】
構内小型光キャビネットのケーブル配線用薄膜の除去具において、該除去具は、対のハンドル（１）（１′）と対のハンドル（１）（１′）で稼働される対の顎部（２）から成り、該顎部（２）は、中心部に配線ケーブル（ＣＡ）の外径寸法に適合し、所定幅（Ｗ）と所定長さ（Ｈ）を有する刃先凹部（２ａ）と刃先凸部（２ｂ）を対に噛合可能にして設け、使用時は除去具の刃先凸部（２ｂ）をキャビネット（ＣＢ）の任意のケーブル配線導入用把持溝部（ＣＢ１）に垂直方向に挿設し、刃先凹部（２ａ）をケーブル配線用薄膜（ＣＢ２）の外面に当設し噛合打ち抜きする事で、薄膜部の除去を容易に可能にした事を特徴とするケーブル配線用薄膜除去具。